(57)【特許請求の範囲】
【請求項１】
ジョブ要求に基づいてジョブを実行する画像形成装置であって、
シートが載置されるトレイと、
前記トレイに載置された前記シートの総重量を測定する測定部と、
前記ジョブが完了した際に前記測定部によって測定された前記総重量からの減少量を算出する減少量算出部と、
前記ジョブの実行によって前記トレイに載置される前記シートの合計重量を算出する合計重量算出部と、
前記減少量と前記合計重量とに基づいて、ログアウト処理を実行する認証部と
を備える、画像形成装置。
【請求項２】
前記ジョブを開始する際に前記測定部によって測定されたジョブ実行前重量、及び前記ジョブが完了した際に前記測定部によって測定されたジョブ実行後重量を記憶する重量記憶部を更に備え、
前記合計重量算出部は、前記ジョブ実行後重量から前記ジョブ実行前重量を減算して前記合計重量を算出する、請求項１に記載の画像形成装置。
【請求項３】
前記ジョブの実行によって前記トレイに載置される前記シートの枚数を記憶する枚数記憶部を更に備え、
前記合計重量算出部は、前記シートの１枚当たりの重量及び前記枚数記憶部に記憶された前記シートの枚数に基づいて前記合計重量を算出する、請求項１に記載の画像形成装置。
【請求項４】
前記シートの種別を記憶する種別記憶部を更に備え、
前記合計重量算出部は、前記種別記憶部に記憶された前記シートの種別に基づいて、前記シートの１枚当たりの重量を算出する、請求項３に記載の画像形成装置。
【請求項５】
前記ジョブ要求に基づいて前記シートに画像を形成する画像形成部を更に備え、
前記トレイには、前記画像形成部によって画像が形成された前記シートが載置される、請求項１〜請求項４のいずれか１項に記載の画像形成装置。
【請求項６】
前記シートを搬送するシート搬送部と、
前記シート搬送部によって搬送された前記シートに形成された画像を読み取る読取部と
を更に備え、
前記トレイには、前記読取部によって画像が読み取られた前記シートが載置される、請求項１〜請求項４のいずれか１項に記載の画像形成装置。
【請求項７】
前記認証部は、前記減少量が前記合計重量に等しい場合、前記ログアウト処理を実行する、請求項１〜請求項６のいずれか１項に記載の画像形成装置。
【請求項８】
ジョブの実行によってシートがトレイに載置されるステップと、
前記ジョブが完了した際に前記トレイに載置されている前記シートの総重量を測定するステップと、
前記ジョブの実行によって前記トレイに載置される前記シートの合計重量を算出するステップと、
前記総重量からの減少量を算出するステップと、
前記減少量と前記合計重量とに基づいて、ログアウト処理を実行するステップと
を含む、ログアウト方法。
【請求項９】
前記ログアウト処理は、前記減少量が前記合計重量に等しい場合に実行される、請求項８に記載のログアウト方法。
【発明の詳細な説明】
【技術分野】
【０００１】
本発明は、画像形成装置、及びログアウト方法に関する。
【背景技術】
【０００２】
画像形成装置の中には、セキュリティーを保つことを目的として認証処理機能を備える機種がある。認証処理機能を備えた画像形成装置を利用する場合、ユーザーは、ログイン操作を行って認証処理を受ける。例えば、ユーザーは、ログインＩＤ（識別子）及びパスワードを入力する。認証処理が成功したユーザーは、画像形成装置の機能を利用して所望の処理を実行することができる。そして、所望の処理が完了した後、ユーザーは、ログアウト操作を行う。これにより、認証処理を受けていないユーザーによる画像形成装置の利用を抑制することができる。この結果、画像形成装置に対するセキュリティーを保つことができる。ところが、ユーザーが、ログアウト操作を忘れることがある。この場合、ログアウト操作を忘れたユーザーが画像形成装置から離れた後、認証処理を受けていない別のユーザーによって画像形成装置が利用されてしまう可能性がある。そこで、ユーザーがログアウト操作を忘れることに起因するセキュリティーの低下を抑制する技術が提案されている。
【０００３】
例えば、特許文献１には、オートログアウト機能を備える画像形成装置が開示されている。オートログアウト機能を備えた画像形成装置では、ユーザーによる操作部の操作（入力操作）が制限時間内に行われない場合、強制的にログアウト処理が実行される。
【先行技術文献】
【特許文献】
【０００４】
【特許文献１】特開２００７−２４９４１７号公報
【発明の概要】
【発明が解決しようとする課題】
【０００５】
しかしながら、特許文献１に記載の画像処理装置では、あるユーザーが最後に入力操作を行ってから所定の時間が経過するまで強制的なログアウト処理が実行されない。このため、あるユーザーがログアウト操作を行うことを忘れて画像形成装置を離れた後、強制的なログアウト処理が実行される前に、認証処理を受けていない別のユーザーによって画像形成装置が利用されてしまう可能性がある。この結果、セキュリティーの低下を招く虞がある。
【０００６】
本発明は、上記課題に鑑み、セキュリティーの低下を抑制することができる画像形成装置、及びログアウト方法を提供することを目的とする。
【課題を解決するための手段】
【０００７】
本発明の画像形成装置は、ジョブ要求に基づいてジョブを実行する。当該画像形成装置は、シートが載置されるトレイと、測定部と、減少量算出部と、合計重量算出部と、認証部とを備える。前記測定部は、前記トレイに載置された前記シートの総重量を測定する。前記減少量算出部は、前記ジョブが完了した際に前記測定部によって測定された前記総重量からの減少量を算出する。前記合計重量算出部は、前記ジョブの実行によって前記トレイに載置される前記シートの合計重量を算出する。前記認証部は、前記減少量と前記合計重量とに基づいて、ログアウト処理を実行する。
【０００８】
本発明のログアウト方法は、以下のステップを含む。ジョブの実行によってシートがトレイに載置されるステップ。前記ジョブが完了した際に前記トレイに載置されている前記シートの総重量を測定するステップ。前記ジョブの実行によって前記トレイに載置される前記シートの合計重量を算出するステップ。前記総重量からの減少量を算出するステップ。前記減少量と前記合計重量とに基づいて、ログアウト処理を実行するステップ。
【発明の効果】
【０００９】
本発明によれば、セキュリティーの低下を抑制することができる。
【図面の簡単な説明】
【００１０】
【図１】本発明の実施形態に係る画像形成装置の構成を示す図である。
【図２】本発明の実施形態１に係る画像形成装置の構成を示すブロック図である。
【図３】本発明の実施形態１に係る画像形成装置の動作を示すフローチャートである。
【図４】本発明の実施形態１に係る画像形成装置におけるログアウト方法を示す図である。
【図５】本発明の実施形態２に係る画像形成装置の構成を示すブロック図である。
【図６】本発明の実施形態２に係る画像形成装置の動作を示すフローチャートである。
【図７】本発明の実施形態２に係る画像形成装置におけるログアウト方法を示す図である。
【発明を実施するための形態】
【００１１】
以下、図面を参照して本発明の実施形態に係る画像形成装置、及びログアウト方法について説明する。なお、図中、同一又は相当部分については同一の参照符号を付して説明を繰り返さない。
【００１２】
［実施形態１］
まず、図１を参照して、画像形成装置１の構成について説明する。図１は、画像形成装置１の構成を示す図である。本実施形態において、画像形成装置１は、電子写真方式の複合機である。
【００１３】
図１に示すように、画像形成装置１は、搬送部Ｌ、操作部２、原稿搬送装置３、読取部４、給紙部５、画像形成部６、転写部７、定着部８、排出部９、測定部１０、及び制御部１００を備える。
【００１４】
搬送部Ｌは、シートＳを給紙部５から排出部９まで搬送する。
【００１５】
操作部２は、ユーザーによる入力操作を受け付けて入力操作に応じた信号を制御部１００に送信する。操作部２は、液晶ディスプレー２１を含む。液晶ディスプレー２１は、設定メニュー、及び制御部１００による処理結果などを表示する。また、操作部２は、テンキー、スタートキー、及びキャンセルキーなどの複数の操作ボタン２２を更に含む。ユーザーは、操作ボタン２２を操作することによって印刷部数などの印刷ジョブに関する情報を入力することができる。また、ユーザーがスタートキーを押下すると、操作部２はジョブ開始を示す入力信号を制御部１００に送信する。
【００１６】
原稿搬送装置３は、原稿載置トレイ３１、原稿排出トレイ３２、及び原稿搬送部３３を備える。原稿搬送部３３は、原稿載置トレイ３１に載置されたシート状の原稿Ｄを１枚ずつ原稿排出トレイ３２まで搬送する。詳しくは、原稿搬送部３３は、読取位置を経由して原稿排出トレイ３２まで原稿Ｄを搬送する。読取位置は、原稿搬送装置３によって搬送された原稿Ｄの画像を読取部４が読み取ることが可能な位置である。
【００１７】
読取部４は、コンタクトガラス、及び読取機構を備える。コンタクトガラスは、読取部４の上部に配置されて原稿搬送装置３の底面と対向する。読取機構は、光源を副走査方向に移動させるキャリッジと、光学系と、イメージセンサーとを含む。光源は、キャリッジによって副走査方向に移動しながらコンタクトガラス上に載置された原稿Ｄに対して光を照射する。光学系は、原稿Ｄから反射する光をイメージセンサーに導く。イメージセンサーは、光学系によって導かれた光を電気信号に変換して出力する。読取部４は、イメージセンサーの出力に基づいて画像データを生成する。そして、生成された画像データは、制御部１００に送信される。また、原稿搬送装置３によって搬送された原稿Ｄを読取部４が読み取る際には、光源は読取位置に光を照射する。この結果、原稿搬送装置３によって搬送された原稿Ｄの画像に対応する画像データが制御部１００に送信される。
【００１８】
給紙部５は、給紙カセット５１、及び給紙ローラー群５２を備える。給紙カセット５１は、複数枚のシートＳを収容可能である。給紙ローラー群５２は、給紙カセット５１に収容されているシートＳを１枚ずつ搬送部Ｌへ給紙する。
【００１９】
画像形成部６は、露光装置６１、現像装置６２、及び感光体ドラム６３を含む。露光装置６１は、読取部４によって生成された画像データに基づいて感光体ドラム６３を照射して静電潜像を形成する。現像装置６２は、感光体ドラム６３にトナーを供給して、感光体ドラム６３に形成された静電潜像を現像してトナー像を形成する。
【００２０】
転写部７は、中間転写ベルト７１を備える。転写部７は、感光体ドラム６３に形成されたトナー像を、中間転写ベルト７１を介してシートＳに転写する。トナー像が転写されたシートＳは定着部８に搬送される。
【００２１】
定着部８は、加熱部材８１、及び加圧部材８２を備える。定着部８は、加熱部材８１、及び加圧部材８２によってシートＳを加熱、及び加圧することで、未定着のトナー像をシートＳに定着させる。
【００２２】
排出部９は、排出口９１、及び排出トレイ９２を備える。シートＳは、画像形成装置１の筺体側面に形成された排出口９１を介して、画像形成装置１の外部に排出される。排出されたシートＳは、排出トレイ９２上に載置される。
【００２３】
測定部１０は、排出トレイ９２に載置されているシートＳの総重量を測定する。
【００２４】
制御部１００は、例えば、ＣＰＵ（Ｃｅｎｔｒａｌ  Ｐｒｏｃｅｓｓｉｎｇ  Ｕｎｉｔ）、及びＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）等によって構成される。制御部１００は、画像形成装置１の各部の動作を制御する。本実施形態では、制御部１００は、操作部２から送信されたジョブ開始の入力信号を受信すると、画像形成装置１の各部を動作させてジョブを実行させる。
【００２５】
続いて図２を参照して、制御部１００の構成について詳細に説明する。図２は、画像形成装置１の構成を示すブロック図である。図２に示すように、制御部１００は、測定処理部１１１、合計重量算出部１１２、増減判定部１１３、減少量算出部１１４、ログアウト判定部１１５、認証部１１６、及び記憶部２００を備える。
【００２６】
測定処理部１１１は、測定部１０によって測定されたシートＳの総重量の変化を検知する。
【００２７】
合計重量算出部１１２は、ジョブの実行によって排出トレイ９２に載置されるシートＳの合計重量を算出する。
【００２８】
増減判定部１１３は、測定処理部１１１がシートＳの総重量の変化を検知すると、総重量が減少しているか否かを判定する。
【００２９】
減少量算出部１１４は、総重量が減少していると増減判定部１１３が判定すると、ジョブが完了した際に測定部１０によって測定された総重量からの減少量を算出する。詳しくは、減少量算出部１１４は、ジョブが完了した際のシートＳの総重量から、増減判定部１１３によって総重量が減少したと判定された際のシートＳの総重量を減算して、減算量を算出する。以下、ジョブが完了した際のシートＳの総重量をジョブ実行後重量と記載する。
【００３０】
ログアウト判定部１１５は、減少量算出部１１４によって算出された減少量が合計重量算出部１１２によって算出された合計重量に等しいか否かを判定する。
【００３１】
認証部１１６は、ログイン処理、及びログアウト処理を行う。本実施形態では、減少量が合計重量に等しいとログアウト判定部１１５が判定した場合、認証部１１６は、ログアウト処理を実行する。
【００３２】
記憶部２００は、プログラム、及び設定情報などを記憶する。記憶部２００は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）によって構成される。制御部１００は、記憶部２００に予め記憶された制御プログラムを実行することによって画像形成装置１の各部の動作を制御する。
【００３３】
また、記憶部２００は、重量記憶部２０１を含む。重量記憶部２０１は、排出トレイ９２に載置されているシートＳの総重量を記憶する。本実施形態において、重量記憶部２０１は、ジョブ実行前重量、及びジョブ実行後重量を記憶する。ジョブ実行前重量は、ジョブが開始される際に測定部１０によって測定された総重量である。本実施形態において、合計重量算出部１１２は、ジョブ実行前重量、及びジョブ実行後重量に基づいて合計重量を算出する。詳しくは、合計重量算出部１１２は、ジョブ実行後重量からジョブ実行前重量を減算して合計重量を算出する。
【００３４】
続いて、図３を参照して、実施形態１に係る画像形成装置１の動作（ログアウト方法）ついて説明する。図３は、画像形成装置１の動作を示すフローチャートである。
【００３５】
図３に示すように、ログインＩＤ及びパスワードがユーザーによって入力されると、認証部１１６による認証処理が実行される（ステップＳ１０２）。認証処理が失敗した場合（ステップＳ１０２：Ｎｏ）、処理は終了する。一方、認証処理が成功した場合（ステップＳ１０２：Ｙｅｓ）、制御部１００は、ジョブ開始を示す入力信号を待つ。制御部１００がジョブ開始を示す入力信号を受信すると（ステップＳ１０４）、制御部１００は、測定部１０によって測定された値をジョブ実行前重量として重量記憶部２０１に記憶させる（ステップＳ１０６）。次に、制御部１００は、画像形成装置１の各部を動作させてジョブを実行させる（ステップＳ１０８）。
【００３６】
ジョブが完了すると、制御部１００は、測定部１０によって測定された値をジョブ実行後重量として重量記憶部２０１に記憶させる（ステップＳ１１０）。次に、合計重量算出部１１２は、合計重量を算出する（ステップＳ１１２）。
【００３７】
そして、測定処理部１１１が総重量の変化を検知すると（ステップＳ１１４）、増減判定部１１３は、総重量が減少したか否かを判定する（ステップＳ１１６）。総重量が減少したと増減判定部１１３が判定しなかった場合、即ち総重量が増大した場合（ステップＳ１１６：Ｎｏ）、制御部１００は、総重量の変化が測定処理部１１１によって再び検知されるのを待つ。一方、総重量が減少したと増減判定部１１３が判定した場合（ステップＳ１１６：Ｙｅｓ）、減少量算出部１１４は、減少量を算出する（ステップＳ１１８）。
【００３８】
ログアウト判定部１１５は、減少量が合計重量に等しいか否かを判定する（ステップＳ１２０）。減少量が合計重量に等しくないとログアウト判定部１１５が判定すると（ステップＳ１２０：Ｎｏ）、制御部１００は、シートＳが排出トレイ９２上に残っている旨を液晶ディスプレー２１に表示させて（ステップＳ１２２）、総重量の変化が測定処理部１１１によって再び検知されるのを待つ。一方、減少量が合計重量に等しいとログアウト判定部１１５が判定すると（ステップＳ１２０：Ｙｅｓ）、認証部１１６は、ログアウト処理を実行する（ステップＳ１２４：Ｙｅｓ）。ログアウト処理が実行されると、重量記憶部２０１に記憶されていた重量が重量記憶部２０１から消去されて（ステップＳ１２６）、図３に示す処理が終了する。本実施形態では、ステップＳ１２６において、ジョブ実行前重量及びジョブ実行後重量が重量記憶部２０１から消去される（ステップＳ１２６）。
【００３９】
続いて、図１、図２、図３、及び図４（ａ）〜図４（ｄ）を参照して、実施形態１に係る制御部１００のログアウト処理について詳細に説明する。図４（ａ）〜図４（ｄ）では、ジョブＪ１が実行されて３枚のシートＳが排出トレイ９２に排出される場合を例に説明する。図４（ａ）は、ジョブＪ１が開始される際の排出トレイ９２の状態を示す図である。図４（ｂ）は、ジョブＪ１が完了した際の排出トレイ９２の状態を示す図である。図４（ｃ）は、ジョブＪ１の実行によって排出トレイ９２に載置されたシートＳのすべてが排出トレイ９２から取り除かれた状態を示す図である。図４（ｄ）は、ジョブＪ１の実行によって排出トレイ９２に載置されたシートＳのうち、一部のシートＳ（Ｓ２、Ｓ３）が排出トレイ９２上から取り除かれた状態を示す図である。
【００４０】
ジョブＪ１が開始される前は、図４（ａ）に示すように、排出トレイ９２にはシートＳが載置されていない。制御部１００は、測定部１０が測定した値をジョブ実行前重量として重量記憶部２０１に記憶させる。
【００４１】
そして、ジョブＪ１が完了すると、図４（ｂ）に示すように、排出トレイ９２には、３枚のシートＳ１、Ｓ２、Ｓ３が載置される。このため、制御部１００は、ジョブが完了した際に測定部１０によって測定された値をジョブ実行後重量として重量記憶部２０１に記憶させる。図４（ｂ）に示す例では、３枚分のシートＳの重量がジョブ実行後重量として重量記憶部２０１に記憶される。
【００４２】
合計重量算出部１１２は、ジョブ実行後重量からジョブ実行前重量を減算した値、即ち、合計重量を算出する。図４（ｂ）に示す例では、３枚分のシートＳの重量を示す値が合計重量として算出される。
【００４３】
そして、図４（ｃ）に示すように、３枚のシートＳ１、Ｓ２、Ｓ３がユーザーによって排出トレイ９２から取り除かれると、測定処理部１１１は、総重量の変化を検知する。測定処理部１１１による総重量の変化が検知されると、増減判定部１１３は、総重量が減少したか否かを判定する。図４（ｃ）に示す例では、総重量が減少している。このため、増減判定部１１３は、総重量が減少したと判定し、減少量算出部１１４は、減少量として３枚分のシートＳの重量を算出する。そして、ログアウト判定部１１５は、減少量が合計重量に等しいか否かを判定する。図４（ｃ）に示す例では、減少量（３枚分のシートＳの重量）は、合計重量（３枚分のシートＳの重量）と等しい。このため、ログアウト判定部１１５は、減少量が合計重量に等しいと判定する。この結果、認証部１１６は、ログアウト処理を実行する。
【００４４】
図４（ｄ）に示すように、３枚のシートＳ１、Ｓ２、Ｓ３のうち、２枚のシートＳ２、Ｓ３が排出トレイ９２からユーザーによって取り除かれると、図４（ｃ）と同様に、増減判定部１１３は、総重量が減少したと判定する。図４（ｄ）に示す例では、減少量算出部１１４は、減少量として、２枚分のシートＳの重量を算出する。そして、ログアウト判定部１１５は、減少量が合計重量に等しいか否かを判定する。図４（ｄ）に示す例では、減少量（２枚分）は、合計重量（３枚分）と等しくない。このため、ログアウト判定部１１５は、減少量が合計重量に等しくないと判定する。この結果、制御部１００は、排出トレイ９２にシートＳが残っている旨を示すメッセージを液晶ディスプレー２１に表示させる。
【００４５】
以上、本発明の実施形態１について説明した。本実施形態によれば、ジョブの実行によって排出トレイ９２に載置されたシートＳ１、Ｓ２、Ｓ３をユーザーが取り除くと、ログアウト処理が行われる。これにより、ユーザーのログアウト操作忘れに起因するセキュリティーの低下を抑制することができる。
【００４６】
また、ジョブの実行によって排出トレイ９２に載置されたシートＳをユーザーが取り除くだけで、ログアウト処理が行われる。このため、ユーザーはログアウト操作を行う必要がなくなる。この結果、ユーザーの利便性が向上する。
【００４７】
また、本実施形態によれば、ユーザーがジョブの実行によって排出トレイ９２に載置されたシートＳ１、Ｓ２、Ｓ３のうち、一部のシートＳ１を排出トレイ９２から取り除くことを忘れた場合、液晶ディスプレー２１にエラーメッセージが表示される。このため、自己のジョブによって排出トレイ９２上に載置されたシートＳの取り忘れを抑制することができる。したがって、ユーザーの利便性が更に向上する。
【００４８】
［実施形態２］
続いて、図１、及び図５〜図７を参照して、本発明の実施形態２に係る画像形成装置１について説明する。実施形態２では、合計重量算出部１１２による合計重量の算出方法が実施形態１と異なる。以下、実施形態２について実施形態１と異なる事項を説明し、実施形態１と重複する事項の説明は割愛する。
【００４９】
図５に示すように、記憶部２００は、重量記憶部２０１に加え、枚数記憶部２０２、種別記憶部２０３、及びサイズ記憶部２０４を更に備える。
【００５０】
本実施形態において、重量記憶部２０１は、ジョブ実行後重量のみを記憶する。
【００５１】
枚数記憶部２０２は、ジョブの実行によって排出トレイ９２に載置されるシートＳの枚数を記憶する。以下、ジョブの実行によって排出トレイ９２に載置されるシートＳの枚数をジョブ枚数と記載する。本実施形態において、ジョブ枚数は、制御部１００が原稿Ｄの枚数と印刷部数とを乗算することによって求められる。原稿Ｄの枚数は、例えば、原稿搬送部３３によって搬送された原稿Ｄの枚数が計数されることによって求められる。印刷部数は、ユーザーがジョブを開始させる前に、操作部２を操作して入力される。制御部１００は、算出したジョブ枚数を枚数記憶部２０２に記憶させる。なお、ユーザーが印刷部数を入力することなく、ジョブが開始された場合、予め記憶部２００に記憶されていたデフォルトの印刷部数を用いてジョブ枚数が算出される。
【００５２】
種別記憶部２０３は、ジョブの実行によって排出トレイ９２に載置されるシートＳのシート種別を記憶する。本実施形態において、ユーザーは、ジョブを開始させる前に、操作部２を操作してシート種別を示す情報を入力する。その結果、シート種別が種別記憶部２０３に記憶される。なお、ユーザーがシート種別を示す情報を入力することなくジョブが開始された場合、予め記憶部２００に記憶されていたデフォルトのシート種別が種別記憶部２０３に記憶される。シート種別は、例えば、厚紙、及び普通紙などを示す。
【００５３】
サイズ記憶部２０４は、ジョブの実行によって排出トレイ９２に載置されるシートＳのシートサイズを記憶する。本実施形態において、ユーザーは、ジョブを開始させる前に、操作部２を操作してシートサイズを示す情報を入力する。その結果、シートサイズがサイズ記憶部２０４に記憶される。なお、ユーザーがシートサイズを示す情報を入力することなくジョブが開始された場合、コンタクトガラス又は原稿載置トレイ３１に載置された原稿Ｄのシートサイズが検知されてサイズ記憶部２０４に記憶される。シートサイズは、例えば、Ａ４サイズ、及びＢ５サイズなどを示す。
【００５４】
合計重量算出部１１２は、枚数記憶部２０２に記憶されているジョブ枚数、種別記憶部２０３に記憶されているシート種別、及びサイズ記憶部２０４に記憶されているシートサイズに基づいて合計重量を算出する。詳しくは、合計重量ｔｍは以下の（式１）で求められる。なお、ジョブの実行によって排出トレイ９２に載置される各シートＳの重量は一定であるものとする。
ｔｍ  ＝  Ｘ×Ｙ×Ｚ・・・（式１）
【００５５】
（式１）において、Ｘは、シートＳの面積を示し、Ｙは、シートＳの単位面積当たりの重量を示し、Ｚは、枚数記憶部２０２に記憶されているジョブ枚数を示す。シートＳの面積は、サイズ記憶部２０４に記憶されたシートサイズに基づいて取得される。詳しくは、記憶部２００は、シートサイズごとの面積をサイズ面積リストとして予め記憶している。合計重量算出部１１２は、サイズ記憶部２０４に記憶されたシートサイズに対応する面積をサイズ面積リストから取得する。また、シートＳの単位面積当たりの重量は、種別記憶部２０３に記憶されたシート種別に基づいて取得される。詳しくは、記憶部２００は、シート種別ごとの単位面積当たりの重量を単位面積リストとして予め記憶している。合計重量算出部１１２は、種別記憶部２０３に記憶されたシート種別に対応する単位面積当たりの重量を単位面積リストから取得する。
【００５６】
認証部１１６は、減少量算出部１１４によって算出された減少量が合計重量ｔｍに等しいとログアウト判定部１１５が判定した場合、ログアウト処理を実行する。
【００５７】
次に図６を参照して、実施形態２に係る画像形成装置１の動作（ログアウト方法）について説明する。図６は、実施形態２に係る画像形成装置１の動作を示すフローチャートである。図６に示すように、実施形態１（図３参照）と比べて、ステップＳ１０２とステップＳ１０４との間にステップＳ２０２、及びステップＳ２０４が追加される。また、実施形態１で説明したステップＳ１０６は実行されない。つまり、ジョブ実行前重量は、重量記憶部２０１に記憶されない。実施形態２では、合計重量算出部１１２は、ジョブ実行前重量及びジョブ実行後重量に基づいて合計重量を算出するのではなく、ジョブ枚数、シート種別、及びシートサイズに基づいて合計重量を算出する。なお、図６に示す処理では、ジョブが開始される前に、印刷ジョブに関する情報（印刷部数、シート種別、及びシートサイズ）を示す入力信号が制御部１００に送信される。
【００５８】
制御部１００は、認証処理が成功した後（ステップＳ１０２：Ｙｅｓ）、印刷ジョブに関する情報を示す入力信号を受信すると（ステップＳ２０２）、枚数記憶部２０２にジョブ枚数を記憶させ、種別記憶部２０３にシート種別を記憶させ、サイズ記憶部２０４にシートサイズを記憶させる（ステップＳ２０４）。
【００５９】
そして、制御部１００がジョブ開始を示す入力信号を受信すると（ステップＳ１０４）、画像形成装置１の各部を動作させてジョブを実行させる（ステップＳ１０８）。そして、合計重量算出部１１２は、枚数記憶部２０２に記憶されたジョブ枚数、種別記憶部２０３に記憶されたシート種別、及びサイズ記憶部２０４に記憶されたシートサイズに基づいて、合計重量の算出を行う（ステップＳ１１２）。なお、ステップＳ１１４以降の処理は、実施形態１と同様であるため、説明は割愛する。
【００６０】
続いて、図１、図５、図６及び図７を参照して、実施形態２に係る制御部１００のログアウト処理について詳細に説明する。図７（ａ）〜図７（ｄ）では、４枚のシートＳ（Ｓ１１、Ｓ１２、Ｓ１３、Ｓ１４）が排出トレイ９２上に載置される場合を例に説明する。詳しくは、あるユーザーがジョブＪ１１を実行している最中に別のユーザーによってジョブＪ１２の割り込みが発生した場合について説明する。具体的には、ジョブＪ１１の実行によってＡ４サイズの３枚の普通紙（シートＳ１１、Ｓ１２、Ｓ１４）が排出トレイ９２上に排出される。また、ジョブＪ１２の実行によってＡ４サイズの１枚の厚紙（シートＳ１３）排出トレイ９２に排出される。図７に示す例では、ジョブＪ１１の実行によってシートＳ１１、Ｓ１２が排出トレイ９２に排出された後、ジョブＪ１２の実行（割り込み）によってシートＳ１３が排出トレイ９２上に排出される。その後、シートＳ１４が排出トレイ９２に排出される。
【００６１】
合計重量算出部１１２は、枚数記憶部２０２に記憶されたジョブ枚数（３枚）、種別記憶部２０３に記憶されたシート種別（普通紙）、及びサイズ記憶部２０４に記憶されたシートサイズ（Ａ４サイズ）に基づいて合計重量（Ａ４サイズの普通紙の３枚分の重量）を算出する。
【００６２】
図７（ａ）は、ジョブＪ１１が開始される際の排出トレイ９２の状態を示す図である。図７（ｂ）は、ジョブＪ１１が完了した際の排出トレイ９２の状態を示す図である。図７（ｃ）は、ジョブＪ１１の実行によって排出トレイ９２に載置されたシートＳのすべてが排出トレイ９２から取り除かれた状態を示す図である。図７（ｄ）は、ジョブＪ１１の実行によって排出トレイ９２に載置されたシートＳのうち、一部のシートＳが排出トレイ９２から取り除かれた状態を示す図である。
【００６３】
ジョブＪ１１が開始される前、図７（ａ）に示すように、排出トレイ９２にはシートＳが載置されていない。
【００６４】
そして、ジョブＪ１１の完了後は、図７（ｂ）に示すように、排出トレイ９２には、４枚のシートＳ１１、Ｓ１２、Ｓ１３、Ｓ１４が載置される。
【００６５】
そして、図７（ｃ）に示すように、３枚のシートＳ１１、Ｓ１２、Ｓ１４が排出トレイ９２から取り除かれると、測定処理部１１１は、総重量の変化を検知する。測定処理部１１１によって総重量の変化が検知されると、増減判定部１１３は、総重量が減少したか否かを判定する。図７（ｃ）に示す例では、総重量が減少している。このため、増減判定部１１３は、総重量が減少したと判定し、減少量算出部１１４は、減少量としてＡ４サイズの普通紙の３枚分の重量を算出する。そして、ログアウト判定部１１５は、減少量が合計重量に等しいか否かを判定する。図７（ｃ）に示す例では、減少量（Ａ４サイズの普通紙の３枚分の重量）は、合計重量（Ａ４サイズの普通紙の３枚分の重量）に等しい。このため、ログアウト判定部１１５は、減少量が合計重量に等しいと判定する。この結果、認証部１１６は、ログアウト処理を実行する。
【００６６】
図７（ｄ）に示すように、ジョブＪ１１の３枚のシートＳ１１、Ｓ１２、Ｓ１４のうちの２枚のシートＳ１１、Ｓ１２と、ジョブＪ１２のシートＳ１３とが排出トレイ９２から取り除かれると、図７（ｃ）と同様に、増減判定部１１３は、総重量が減少したと判定する。図７（ｄ）に示す例では、減少量算出部１１４は、減少量として、Ａ４サイズの普通紙の２枚分の重量と、Ａ４サイズの厚紙の１枚分の重量とを合算した値を算出する。そして、ログアウト判定部１１５は、減少量が合計重量に等しいか否かを判定する。図７（ｄ）に示す例では、減少量（Ａ４サイズの普通紙の２枚分の重量と、Ａ４サイズの厚紙の１枚分の重量との合計値）は、合計重量（Ａ４サイズの普通紙の３枚分の重量）に等しくないと判定される。この結果、制御部１００は、排出トレイ９２にシートＳが残っている旨を示すメッセージを液晶ディスプレー２１に表示させる。
【００６７】
以上、本発明の実施形態２について説明した。本実施形態によれば、合計重量算出部１１２は、ジョブ実行前重量を用いることなく合計重量を算出する。即ち合計重量算出部１１２は、ジョブ実行後重量からジョブ実行前重量を減算することなく、枚数記憶部２０２に記憶されたジョブ枚数、種別記憶部２０３に記憶されたシート種別、及びサイズ記憶部２０４に記憶されたシートサイズに基づいて合計重量を算出することができる。このため、あるユーザーのジョブＪ１１の実行中に、別のユーザーによるジョブＪ１２の実行（割り込み）によってシートＳ１３が排出トレイ９２に載置されたとしても、あるユーザーが自己のジョブＪ１１の実行によって排出トレイ９２に載置されたシートＳ１１、Ｓ１２、Ｓ１４を取り除くことにより、ログアウト処理が行われる。これにより、セキュリティーの低下を抑制することができる。
【００６８】
なお、本実施形態では、シート種別は、ユーザーの入力操作によって、種別記憶部２０３に記憶されたが、本発明はこれに限定されない。例えば、メディアセンサーによって給紙カセット５１に収容されているシートＳのシート種別が判定されてもよい。
【００６９】
以上、本発明の実施形態について、図面（図１〜図７）を参照しながら説明した。但し、本発明は、上記の実施形態に限られるものではなく、その要旨を逸脱しない範囲で種々の態様において実施することが可能である。
【００７０】
例えば、本発明の実施形態において、測定部１０は、排出トレイ９２に載置されたシートＳの総重量を測定したが、本発明はこれに限定されない。例えば、測定部１０は、原稿排出トレイ３２の上に載置される原稿Ｄの総重量を測定してもよい。この場合、合計重量算出部１１２は、ジョブの実行によって原稿排出トレイ３２に載置される原稿Ｄの合計重量を算出する。
【００７１】
また、本発明の実施形態では、本発明が電子写真方式の画像形成装置に適用される場合を例に説明したが、本発明はこれに限定されない。例えば、本発明は、インクジェット方式の画像形成装置にも適用可能である。
【産業上の利用可能性】
【００７２】
本発明は、画像形成装置に有用である。
【符号の説明】
【００７３】
１        画像形成装置
１０      測定部
３２      原稿排出トレイ
９２      排出トレイ
１１２    合計重量算出部
１１４    減少量算出部
１１６    認証部
【図１】
0006269596.tif 000002
【図２】
0006269596.tif 000003
【図３】
0006269596.tif 000004
【図４】
0006269596.tif 000005
【図５】
0006269596.tif 000006
【図６】
0006269596.tif 000007
【図７】
0006269596.tif 000008